(57)【要約】【課題】ベルト内面に付着した汗を吸着の大気中に蒸散放出でき、したがって使用時にべとつきや不快感を生じることのないベルトを提供する。【解決手段】ベルト本体１が、通気孔７の一群を開口した表装材５と、表装材５の内面に配される裏材６とで構成されている。裏材６は、内面の吸湿層１０と、通気孔７に臨む放湿層１１と、これら両層１０・１１の間に形成される中間層１２とを備えたダブルラッセル構造のメッシュ生地で形成してある。ベルト内面に付着の汗は、吸湿層１０で吸着し、中間層１２で放湿層１１へ向かって一方向へ移行させ、放湿層１１で蒸散させる。通気孔７から出入りする新規空気によっても、吸着した汗の蒸散を促進できる。【選択図】図３
2005213660.tif 000002
【特許請求の範囲】
【請求項１】
ベルト本体１と、ベルト本体１に装着されるベルト留具２とを備えており、
ベルト本体１に、ベルト内面に付着の汗を吸着して、大気中に気化放出する汗除去構造が設けられており、
汗除去構造が、通気可能な表装材５と、表装材５の内面に配置される吸湿機能および放湿機能を備えた裏材６とで構成されていることを特徴とするベルト。
【請求項２】
裏材６で吸着した汗を大気中に気化放出するための通気孔７の一群が、表装材５に開口している請求項１記載のベルト。
【請求項３】
裏材６が、疎水性繊維で形成した内面の吸湿層１０と、吸水性繊維で形成した外面の放湿層１１と、これら両層１０・１１を連結して、吸湿層１０で吸着した汗を毛細管現象によって放湿層１１へ移行させ、吸湿層１０と放湿層１１との間に通気空間を形成する中間層１２とで構成された三層立体構造のメッシュ生地で形成されており、
放湿層１１が表装材５の内面に隣接する状態で、裏材６が表装材５に固定されている請求項１または２記載のベルト。
【請求項４】
表装材５の表面と、この表面に連続して裏側へ折り返えされた一対の縫着面１４とで裏材６の両周縁を挟み保持して、表装材５の表面と裏材６と縫着面１４との三者が縫着されており、
一対の縫着面１４で挟まれる吸湿開口１５と対向する表装材５の表面に、通気孔７の一群が開口している請求項１または２または３記載のベルト。
【請求項５】
ベルト本体１の一端にベルト留具２が装着され、ベルト本体１の他端にベルト留具２で捕捉固定される装飾ベルト３を備えている請求項１〜４のいずれかに記載のウエスト用のベルト。
【発明の詳細な説明】
【技術分野】
【０００１】
本発明は、ウエスト用のベルトや時計用のベルトなどの、身体に装着して使用するベルトに関する。
【背景技術】
【０００２】
本発明においては、ベルトの内面側にメッシュ生地を配置し、ベルト内面に付着の汗を大気中に気化放出することにより、ベルト使用時の不快感を解消するにあるが、服地の内側にメッシュ生地を配置して、服地が汗でべとつくのを解消することは、例えば登山用や夜間作業用のベストに見ることができる（特許文献１参照）。医療用の地肌バンド（血圧計測用の腕帯）において、メッシュ生地からなる内布と、抗菌、若しくは殺菌作用を備えた外布とでバンドを構成することも公知である（特許文献２参照）。
【０００３】
【特許文献１】特開２００２−３１７３１４号公報（段落番号００１９、図１）
【特許文献２】特開２００２−１０２２７４公報（段落番号００１３、図４）
【発明の開示】
【発明が解決しようとする課題】
【０００４】
生地内面にメッシュを配置した上記の素材では、メッシュ生地で隙間を確保して、汗を吸い込んだ服地が肌に接触するのを防止できるが、いったん汗が服地に吸着されてしまうと、服地のべとつきを避けることができず、服地が乾燥するまで不快感が持続する。医療用の地肌バンドは、バンドを使用することに伴う発汗を想定しておらず、発汗時における地肌バンドの吸湿作用などについては説明がなく、比較評価できない。
【０００５】
本発明の目的は、吸湿作用および放湿作用を備えており、ベルト内面に付着の汗をベルト表面側へ効果的に移行させて速やかに蒸散し、あるいは外気を導入して蒸散を促進でき、したがって、装着部分におけるべとつきを解消して、使用時の不快感を一掃できるベルトを提供することにある。本発明の目的は、ベルト本体を構成する裏材がクッション性を備えていて、きつく締める必要もなくベルトをその装着部位に定位固定でき、圧迫感がなく、より楽な状態で着用できるウエスト用のベルトを提供することにある。
【課題を解決するための手段】
【０００６】
本発明のベルトは、図１に示すごとくベルト本体１と、ベルト本体１に装着されるベルト留具２とを備えている。ベルト本体１には、ベルト内面に付着の汗を吸着して、大気中に気化放出する汗除去構造が設けられており、この汗除去構造が、通気可能な表装材５と、表装材５の内面に配置される吸湿機能および放湿機能を備えた裏材６とで構成されていることを特徴とする（請求項１）。
【０００７】
具体的には、裏材６で吸着した汗を大気中に気化放出するための通気孔７の一群が、表装材５に設けられている（請求項２）。
【０００８】
裏材６は、図３に示すごとく、疎水性繊維で形成した内面の吸湿層１０と、吸水性繊維で形成した外面の放湿層１１と、これら両層１０・１１を連結して、吸湿層１０で吸着した汗を毛細管現象によって放湿層１１へ移行させ、吸湿層１０と放湿層１１との間に通気空間を形成する中間層１２とで構成した、三層立体構造のメッシュ生地で形成することができる。放湿層１１は、表装材５の内面に隣接する状態で、裏材６を表装材５に固定することができる（請求項３）。
【０００９】
表装材５の表面と、この表面に連続して裏側へ折り返えされた一対の縫着面１４とで裏材６の両周縁を挟み保持して、表装材５の表面と裏材６と縫着面１４との三者を縫着し、一対の縫着面１４で挟まれる吸湿開口１５と対向する表装材５の表面に通気孔７の一群を開口することができる（請求項４）。
【００１０】
ベルト本体１の一端にはベルト留具２が装着され、ベルト本体１の他端にベルト留具２で捕捉固定される装飾ベルト３を備えている（請求項５）。
【発明の効果】
【００１１】
本発明では、ベルト本体１に設ける汗除去構造が、通気可能な表装材５と、表装材５の内面に配される吸湿機能および放湿機能を備えた裏材６とで構成されていて、ベルト内面に付着の汗を裏材６で吸着した後、吸着した汗をベルト外面の大気中に蒸散し放出できるようにした。したがって、本発明のベルトによれば、ベルト内面に付着の汗はベルト表面側へ効果的に移行させて速やかに蒸散し、あるいは通気可能な表装材５を介して外気を導入して蒸散を促進できるので、ベルト装着部分におけるべとつきを解消して使用時の不快感を一掃できる（請求項１）。
【００１２】
通気孔７の一群を表装材５に設けてあると、ベルト本体１の伸縮動作に伴って各通気孔７から空気を出入りさせて、裏材６に吸着された汗と新規空気とを確実に接触させることができるので、汗の蒸散を促進し、その分だけ裏材６を効果的に乾燥させて、ベルト内面におけるべとつきをさらに確実に解消できる（請求項２）。
【００１３】
疎水性繊維で形成した内面の吸湿層１０と、吸水性繊維で形成した外面の放湿層１１と、これら両層１０・１１を連結する中間層１２とを備えた三層立体構造のメッシュ生地で裏材６が構成されていると、吸湿層１０で吸着の汗は、中間層１２の毛細管現象によって放湿層１１へ不可逆的に移行させることができるので、ベルト内面におけるべとつき感を一掃でき、とくにベルトが肌に直接接触する場合の感触を「さらさら」にできる。中間層１２によって放湿層１１の内面に通気空間を確保できるので、汗と空気の接触機会をさらに増やして、汗の蒸散を促すことができるうえ、通気孔７から空気が出入りするときの通気抵抗を小さくして、より大量の新規空気を通気空間に取り込んで、汗を効果的に蒸散させることができる（請求項３）。
【００１４】
表装材５の表面に連続して裏側へ折り返えされた一対の縫着面１４で裏材６の両周縁を挟み保持して、表装材５の表面と裏材６と縫着面１４との三者を縫着すると、裏材６の両周縁を縫着面１４で保護してベルト本体１の耐久性が向上する。一対の縫着面１４で挟まれる吸湿開口１５と対向する表装材５の表面に、通気孔７の一群が開口していると、吸湿開口１５で吸着の汗を最短距離で通気孔７の側へ移行できるので、裏材６に吸着の汗を短時間で放湿させることができ、その分だけ裏材の乾燥速度が向上する（請求項４）。
【００１５】
ベルト本体１の一端にベルト留具２を装着し、ベルト本体１の他端にベルト留具２で捕捉固定される装飾ベルト３を備えたベルト構造によれば、汗除去構造を有するベルト本体１の構造を簡素化してその生産性を格段に向上できる。荷重が集中しやすいピン孔２３を備えた装飾ベルト３は、ベルト本体１に比べてより強靭な素材や、異質の素材で形成できるので、ベルトの耐久性が向上し、あるいはデザインの多様化を実現できる利点もある。
【発明を実施するための最良の形態】
【００１６】
図１ないし図３は本発明のベルトをウエスト用のベルトに適用した実施例を示す。図１において、ウエスト用のベルトは、ベルト本体１と、ベルト本体１の一端に装着されるベルト留具２と、ベルト本体１の他端に縫着される装飾ベルト３とを備えている。ベルト本体１の全体には汗除去構造が設けられており、汗除去構造によってベルト本体１の内面に付着の汗を大気中に蒸散させて放出除去できる。汗除去構造は、通気可能に構成した表装材５と、表装材５の内面に配される吸湿機能および放湿機能を備えた裏材６とで構成されている。
【００１７】
表装材５は、天然皮革や人工皮革を素材にして形成してあり、その幅方向の中央部分に通気孔７の一群を長手方向にわたって所定間隔おきに開口してある。この実施例では、幅方向線に対して斜めに傾く直線状のスリットで通気孔７を形成した。通気孔７は一定間隔おきに配置した４個の孔群を１単位としており、これら孔群が更に一定間隔おきに繰り返し形成されている。
【００１８】
図３において裏材６は、疎水性繊維で形成した内面の吸湿層１０と、吸水性繊維で形成した外面の放湿層１１と、これら両層１０・１１を連結して吸湿層１０で吸着した汗を放湿層１１へ移行させる中間層１２とで構成した、三層立体構造（ダブルラッセル構造）のメッシュ生地で形成されている。吸湿層１０には、格子状に通気開口１０ａが形成されており、各通気開口１０ａを囲むように疎水性繊維を編み込んである。中間層１２を形成する連結糸は極細繊維で形成してあって、連結糸これ自体の毛細管現象によって吸湿層１０で吸着の汗を放湿層１１へ移行させ、さらに吸湿層１０と放湿層１１との間に通気空間を形成して、メッシュ生地を嵩高で厚みのあるものとしてある。裏材６は、放湿層１１が表装材５の内面に接する状態で表装材５に縫着固定する。
【００１９】
具体的には、表装材５の表面と、この表面に連続して裏側へ折り返えされた一対の縫着面１４とで裏材６の両周縁を挟み保持し、表装材５の表面と裏材６と縫着面１４との三者を縫着している。先の通気孔７は、汗の移行経路を最短化するために、一対の縫着面１４で挟まれる吸湿開口１５と対向する、表装材５の幅方向中央部分に設けてある。
【００２０】
図１においてベルト留具２は、首ベルト１８の折り曲げ端にバックル１９を装着し、内側のベルト端にベルト本体１の端部を挟持固定する連結金具２０を固定してなる。符号２１はバックルピン、２２はバックル１９をくぐり抜けた装飾ベルト３を押さえ保持するガイドループである。連結金具２０から取り外したベルト本体１は、腰まわりの長さに応じて切断することにより、ベルトの長さを使用者の体格や体形に応じて変更調整できる。装飾ベルト３は、表裏一対の天然皮革あるいは人工皮革を貼り合わせたうえで、幅方向両端を縫着固定して形成してあり、その長手方向に沿ってバックルピン２１を掛け止めるためのピン孔２３が一定間隔おきに形成されている。
【００２１】
上記のように裏材６が、肌面側の吸湿層１０と、外面の放湿層１１と、通気空間を有する中間層１２とで構成されていると、吸湿層１０で吸着した汗は、中間層１２の連結糸で放湿層１１へ向かって非可逆的に移行させることができるので、吸湿層１０に汗が留まるのを防止して、ベルト内面がべとつくのを解消できる。さらに、放湿層１１へ移行した汗を通気孔７から大気中へ効果的に蒸散させることができる。着用者の身体の屈伸動作や傾動動作に伴ってベルト本体１が伸縮するとき、通気孔７から外気が出入りすることで、放湿層１１、中間層１２および吸湿層１０に新規空気を接触させて蒸散を促進できる。
【００２２】
先に説明したように、裏材６は嵩高で厚みのある（1.５〜２mm）メッシュ生地からなり、それ自体がクッション性を備えている。そのため、きつく締める必要もなくベルトを腰まわりに固定でき、したがって圧迫感がなく、より楽な状態で使用できるウエスト用のベルトが得られる。ベルト本体１の全体に汗除去構造を設け、その一端に首ベルト１８を連結し、他端に装飾ベルト３を固定したベルト構造であるから、ベルト本体１の構造を簡素化して、その生産性を格段に向上できる。荷重が集中しやすいピン孔２３を備えた装飾ベルト３をより強靭な素材で形成できるので、ベルトの耐久性を向上できる利点もある。
【００２３】
通気孔７は、直線スリット状に代えて円形や多角形、星形などの幾何学形状、あるいは花や動物などの外形を模した形状、文字、数字などに変更でき、その配置も自由に変更できる。ベルト本体１の表装材５は、織生地や成形ベルトなどで形成することができるが、ベルト面に通気孔７を設けてあることが好ましい。但し、織生地で表装材５を形成する場合には、織目を通気孔７とすることができる。時計用のベルトとして使用する場合には、時計本体の両側に連結される一対のベルト片でベルトを構成する。
【００２４】
本発明のウエスト用のベルトにおける汗除去構造は、少なくとも腰裏部分に設けてあればよい。表装材５と裏材６とは縫着するのが好ましいが、接着によって固定してもよい。バックルの構造は特に問わない。裏材６としては、三層立体構造のメシュ地が好適であるが、例えば二層立体構造（ダブルラッセル構造）のメッシュ地など、他のメシュ地を使用してもよい。
【図面の簡単な説明】
【００２５】
【図１】ウエスト用のベルトの正面図
【図２】ベルトの表装材の一部を破断した正面図
【図３】図２におけるＡ−Ａ線断面図
【符号の説明】
【００２６】
１  ベルト本体
２  ベルト留具
５  表装材
６  裏材
７  通気孔
１０  吸湿層
１１  放湿層
１２  中間層
１４  縫着面
１５  吸湿開口
【図１】
2005213660.tif 000003
【図２】
2005213660.tif 000004
【図３】
2005213660.tif 000005